(57)【要約】      （修正有）【課題】活き餌にイカが乗ったときに引っ掛けることができ、イカが活き餌を抱えて藻の中に入り込んだ場合でも藻に絡みにくい補助針を備え、補助針が取り付けられた活き餌は弱りにくく自然に泳ぐことができる活き餌針仕掛け部を備えたイカ釣り用ヤエン仕掛けを提供する。【解決手段】イカ釣り用ヤエンが併用されるイカ釣り用ヤエン仕掛けであって、活き餌である小あじ３のぜいご７に掛けられ道糸４に繋がれる餌針８と、餌針８にハリス９を介して繋がれ小あじ３の背に掛ける１号〜３号の背針１０と、この背針１０と錨型に一体に設けられる補助針１１とを備え、背針１０を小あじ３の背に掛けた状態において補助針１１は小あじ３の背から後方に突出するように向いている。【選択図】図３
0003174873.tif 000002
【実用新案登録請求の範囲】
【請求項１】
ヤエンが併用されるイカ釣り用ヤエン仕掛けであって、活き餌である小あじのぜいごに掛けられ道糸に繋がれる餌針と、前記餌針にハリスを介して繋がれ前記小あじの背に掛ける１号〜３号の背針と、この背針と錨型に一体に設けられる補助針とを備え、前記背針を小あじの背に掛けた状態において前記補助針は小あじの背から後方に突出するように向いていることを特徴とするイカ釣り用ヤエン仕掛け。
【考案の詳細な説明】
【技術分野】
【０００１】
本考案は、アオリイカなどを釣るときに用いるイカ釣り用ヤエン仕掛けに関する。
【背景技術】
【０００２】
従来のイカ釣り用ヤエン仕掛けでは、道糸に沿ってヤエン仕掛けが沈降するとき、ヤエン仕掛けの掛け針が活き餌に当たることがある。掛け針が活き餌に当たると、活き餌に乗っているイカは、掛け針が活き餌に当たった衝撃に驚いて活き餌を放して逃げてしまう。このときヤエン仕掛けの掛け針は所定の位置まで沈降していないので、活き餌を放したイカを掛け針で引っ掛けることができない。
【０００３】
このような問題を解決するために、特許文献１に記載のイカ釣り用ヤエン仕掛けでは、棒桿の先端部に梶板が取り付けられている。ヤエン仕掛けが沈降するとき、梶板が水の抵抗を受けると、掛け針が活き餌から離れるので、掛け針が活き餌に当たることを防止することができる。
【先行技術文献】
【特許文献】
【０００４】
【特許文献１】特開２０００−３４２１４０
【考案の概要】
【考案が解決しようとする課題】
【０００５】
特許文献１に記載のイカ釣り用ヤエン仕掛けでは、ヤエンを沈降させたときヤエンの重みで活き餌が釣竿側に引っ張られることがある。これに驚いたイカは活き餌を放して逃げようとする。さらに、沈降したヤエンの螺旋環が活き餌に当たり、螺旋環の衝撃に驚いたイカが活き餌を放して逃げようとする場合がある。イカが掛け針の方向に逃げた場合には掛け針で引っ掛けることができるが、掛け針とは異なる方向に逃げた場合には掛け針で引っ掛けることができない。
【０００６】
活き餌に補助針を取り付け、活き餌に乗ったイカを補助針で引っ掛けることができれば、効果的にイカを釣り上げることができるが、活き餌に乗ったイカは、活き餌を抱えて３０ｍ〜５０ｍ泳いで藻の中に入り込むことがある。イカが藻の中に入り込むと、補助針が藻に絡まってしまう。さらに補助針を取り付けた活き餌は弱りやすいので頻繁に付け替えなければならず、頭部に道糸が引っ掛けられた活き餌は自然な泳ぎができないという問題もある。
【０００７】
本考案の目的は、活き餌にイカが乗ったときに引っ掛けることができ、イカが活き餌を抱えて藻の中に入り込んだ場合でも藻に絡みにくい補助針を備え、補助針が取り付けられた活き餌は弱りにくく自然に泳ぐことができる活き餌針仕掛け部を備えたイカ釣り用ヤエン仕掛けを提供することである。
【課題を解決するための手段】
【０００８】
この課題を解決するために請求項１に記載の考案は、ヤエンが併用されるイカ釣り用ヤエン仕掛けであって、活き餌である小あじのぜいごに掛けられ道糸に繋がれる餌針と、前記餌針にハリスを介して繋がれ前記小あじの背に掛ける１号〜３号の背針と、この背針と錨型に一体に設けられる補助針とを備え、前記背針を小あじの背に掛けた状態において前記補助針は小あじの背から後方に突出するように向いているものである。
【考案の効果】
【０００９】
請求項１記載の考案によれば、活き餌である小あじのぜいごに掛けられ道糸に繋がれる餌針と、前記餌針にハリスを介して繋がれ前記小あじの背に掛ける１号〜３号の背針と、この背針と錨型に一体に設けられる補助針とを備え、前記背針を小あじの背に掛けた状態において前記補助針は小あじの背から後方に突出するように向いているので、活き餌にイカが乗ったときに引っ掛けることができ、イカが活き餌を抱えて藻の中に入り込んだ場合でも藻に絡みにくい補助針を備え、背針が取り付けられた活き餌は弱りにくく自然に泳ぐことができる。
【図面の簡単な説明】
【００１０】
【図１】本考案の一実施形態に係るイカ釣り用ヤエン仕掛けの平面図である。
【図２】活き餌針仕掛け部の斜視図である。
【図３】活き餌針仕掛け部が活き餌に引っ掛けられた状態の斜視図である。
【考案を実施するための形態】
【００１１】
以下、本考案の一実施形態について図１〜図３に基づいて説明する。図１は本考案の一実施の形態に係るイカ釣り用ヤエン仕掛け１の平面図である。図２は活き餌針仕掛け部２の斜視図である。図３は活き餌針仕掛け部２が小あじ３に引っ掛けられた状態の斜視図である。
【００１２】
イカ釣り用ヤエン仕掛け１は、道糸４に取り付けられ活き餌である小あじ３に引っ掛けられる活き餌針仕掛け部２と、小あじ３にイカが食付いた状態で道糸２に沿って沈降させ、小あじ３から放れて逃げるイカを引っ掛けるイカ釣り用ヤエン６とを備える。
【００１３】
活き餌針仕掛け部２は、道糸４に取り付けられ小あじ３のぜいご７に引っ掛けられる餌針８と、餌針８にハリス９を介して繋がれ小あじ３の背に掛けられる背針１０と、背針１０と錨型に一体に設けられる補助針１１とを備える。餌針８としては、たとえばシングルフックの４号〜１２号が用いられる。背針１０としては、たとえばダブルフックの１号〜３号が用いられる。
【００１４】
餌針８が小あじ３の頭部に引っ掛けられる場合には、小あじ３は頭部が道糸４に引っ張られて不自然な泳ぎ方をするが、餌針８を小あじ３の尾ひれ近傍のぜいご７に引っ掛けることによって自然に泳ぐことができる。
【００１５】
背針１０として１号〜３号の小さい針が用いられるので、背針１０が小あじ３の背骨に当たり、あるいは内臓を傷付けることが防止され、小あじ３を長い時間元気に泳がせることができる。
【００１６】
イカ釣り用ヤエン６は、棒桿１２の先端部に複数の掛け針１３が適当間隔を開けて設けられ、棒桿１２の後部に錘１４が取り付けられる。錘１４の前方であって掛け針１３の後方には前部ガイド桿１５が設けられ、錘１４の後部には後部ガイド桿１６が設けられる。前部ガイド桿１５と後部ガイド桿１６との上端には各々前部ガイド環１７と後部ガイド環１８とが形成されている。
【００１７】
イカが小あじ３に乗った状態で、イカ釣り用ヤエン６の前部ガイド環１７と後部ガイド環１８とを道糸に係合し、イカ釣り用ヤエン６を水中に沈降させる。このときヤエンの重みで活き餌が釣竿側に引っ張られ、これに驚いたイカが活き餌を放して逃げようとする。また、沈降するイカ釣り用ヤエン６の前部ガイド環１７が小あじ３に当たり、これに驚いたイカが小あじ３を放して逃げようとする。イカ釣り用ヤエン６は、小あじ３から逃げようとするイカを掛け針１３で引っ掛けるものである。
【００１８】
小あじ３の背には、背針１０と一体に補助針１１が設けられているので、小あじ３に乗ったイカを補助針１１に引っ掛けることができる。小あじ３に乗ったイカは、小あじ３を抱えて藻の中などの安全な場所に入り込む習性があるが、補助針１１は小あじ３の背から後方に突出するように向いているので、イカが藻の中に入り込んだとき、補助針１１が藻に絡まることを防止することができる。
【００１９】
このように、イカ釣り用ヤエン６が併用されるイカ釣り用ヤエン仕掛け１であって、活き餌である小あじ３のぜいご７に掛けられ道糸４に繋がれる餌針８と、餌針８にハリス９を介して繋がれ小あじ３の背に掛ける１号〜３号の背針１０と、この背針１０と錨型に一体に設けられる補助針１１とを備え、背針１０を小あじ３の背に掛けた状態において補助針１１は小あじ３の背から後方に突出するように向いているので、小あじ３にイカが乗ったときに引っ掛けることができ、イカが小あじ３を抱えて藻の中に入り込んだ場合でも補助針１１は藻に絡みにくく、背針１０が取り付けられた活き餌は弱りにくく自然に泳ぐことができる。
【符号の説明】
【００２０】
１    イカ釣り用ヤエン仕掛け
２    活き餌針仕掛け部
３    小あじ
４    道糸
５    イカ
６    イカ釣り用ヤエン
７    ぜいご
８    餌針
９    ハリス
１０    背針
１１    補助針
１２    棒桿
１３    掛け針
１４    錘
１５    前部ガイド桿
１６    後部ガイド桿
１７    前部ガイド環
１８    後部ガイド環
【図１】
0003174873.tif 000003
【図２】
0003174873.tif 000004
【図３】
0003174873.tif 000005